(57)【特許請求の範囲】
【請求項１】
容器であって、
容器ボディ（１）に連続するネック部分（５）を有し、前記ネック部分上に１部材又は幾つかに分かれたキャップ（２）が取り付け可能とされ、
キャップ（２）に固定部分（２９）が対応づけられており、前記固定部分が少なくとも１つの破断予定箇所（３１）を介してキャップ（２）と結合されており、前記破断予定箇所がキャップ（２）と容器ボディ（１）又はその部分との間の相対的な回転運動によって分離可能とされているものにおいて、
それぞれの破断予定箇所（３１）が、一方の回転方向においても他方の回転方向においてもほぼ等しい回転角度及びほぼ等しいトルクで行われる回転運動によって分離可能である、
ことを特徴とする容器。
【請求項２】
それぞれの破断予定箇所（３１）が、キャップ（２）と固定部分（２９）との間に延びるウェブブリッジ（４７）を介して実現されている、ことを特徴とする請求項１に記載の容器。
【請求項３】
開放装置（３）が容器ボディ（１）を、容器ボディ（１）の少なくとも部分を突き刺し、切り込むことにより、あるいは引き裂き又は切断することによって開放し、あるいは
容器ボディ（１）内にすでに存在している開口部が、貫通可能に形成されているシール箔のような閉鎖ボディによって取り外し可能に閉鎖されている、
ことを特徴とする請求項１又は２に記載の容器。
【請求項４】
キャップ（２）は、一体的に形成されている場合に、容器ボディ（１）を開放する突き刺し突起（４２）又は切断リングあるいは引き裂きリングを有している、
ことを特徴とする請求項１から３のいずれか１項に記載の容器。
【請求項５】
キャップ（２）が、少なくとも第１のキャップ部分（７）と第２のキャップ部分（１１）を有し、前記第２のキャップ部分が少なくとも部分的に第１のキャップ部分（７）とネック部分（５）との間に延びており、かつ容器ボディ（１）を開放するための、少なくとも１つの開口部（１７）を備えた開放装置（３）を有しており、
開口部（１７）が第１のキャップ部分（７）によって閉鎖可能であって、かつ
第１のキャップ部分（７）の取り付け又は螺合プロセスによってこの第１のキャップ部分（７）が第２のキャップ部分（１１）を、開放装置（３）が容器ボディ（１）の開放を誘起するように連動させる、
ことを特徴とする請求項１から４のいずれか１項に記載の容器。
【請求項６】
固定部分が、取り付け状態においてネック部分（５）を包囲するリング（２９）の形状を有し、かつ
前記リングの内側とネック部分（５）の外側との間に、２つの回転方向に相対的な回転運動を阻止するストッパ装置（３５、３７）が形成されている、
ことを特徴とする請求項１から５のいずれか１項に記載の容器。
【請求項７】
ストッパ装置（３５、３７）が、リング（２９）の内側から径方向に張り出す少なくとも１つのウィング部分（３７）を有しており、
前記ウィング部分が、２つの回転方向において阻止するように、ネック部分（５）に設けられたブロック部材（３５）と協働する、
ことを特徴とする請求項１から６のいずれか１項に記載の容器。
【請求項８】
ウィング部分が、リング（２９）の内側に軸方向に延びるストリップ（３７）の形状で設けられており、前記ストリップが対応する、ネック部分（５）に設けられた径方向に張り出すブロック部材（３５）と協働する、
ことを特徴とする請求項１から７のいずれか１項に記載の容器。
【請求項９】
長方形状の横断面を有するストリップ（３７）が設けられている、ことを特徴とする請求項１から８のいずれか１項に記載の容器。
【請求項１０】
Ｔ字状、Ｙ字状あるいはＶ字状の横断面を有するストリップ（３７）が設けられている、ことを特徴とする請求項１から９のいずれか１項に記載の容器。
【請求項１１】
ストッパ装置を形成するために、ネック部分（５）に設けられた対応するブロック部材（３５）と係合するための、リング（２９）のそれぞれのウィング部分（３７）内に軸方向に延びる溝（３９）が設けられている、
ことを特徴とする請求項１から１０のいずれか１項に記載の容器。
【請求項１２】
ブロック部材（３５）とウィング部分（３７）の数が、それぞれ１と１２の間である、
ことを特徴とする請求項１から１１のいずれか１項に記載の容器。
【請求項１３】
リング（２９）が、切り欠き（４１）のリムを備えたクラウンの形状を有し、前記切り欠きが第１のキャップ部分（７）を向いた端縁において開放している、
ことを特徴とする請求項１から１２のいずれか１項に記載の容器。
【請求項１４】
リング（２９）が１つ又は複数の窓状の切り欠き（４１）を有し、前記切り欠きが少なくとも部分的にスリット形状、円く形成され、あるいは多角形状で形成されている、
ことを特徴とする請求項１から１３のいずれか１項に記載の容器。
【発明の詳細な説明】
【技術分野】
【０００１】
本発明は、容器、特にブロー成形方法で形成され、型内で充填されて閉鎖されたプラスチックアンプル、に関するものであって、容器ボディに連続するネック部分を有し、そのネック部分上に１部材又は多部材のキャップが取り付け可能、特に滑り嵌め可能であって、キャップに固定部分が対応づけられており、その固定部分が少なくとも１つの破断予定箇所を介してキャップと結合されており、その破断予定箇所がキャップと容器ボディまたはその部分との間の相対的な回転運動によって分離可能である。
【背景技術】
【０００２】
特許文献１によって、特にプラスチックからブロー成形方法で形成されて型内で充填されて閉鎖されたビン、そしてまたアンプル形状でもある、容器のための幾つかに分かれたキャップが知られており、ネック部分を有し、その上にキャップが取り付け可能であり、そのキャップが、ネック部分を収容する部分に続いて、その部分と一体的に形成された部分を有し、その部分が滴下部材として形成されている。
その場合に上述した特許公報は、他の既知の解決としてこの種のビンを記述しており、そのビンの外ねじを有するネックの自由端部が、ネック部分と一体的に形成されている閉鎖部分によって閉鎖されており、その場合にネック部分上へ螺合されたキャップが内部に、中央に配置された、開放装置としての突起を有しており、その突起によって閉鎖部分を突き通すことができる。
閉鎖部分を突き通した後に、キャップが取り去られ、その後閉鎖部分に形成された開口部を通して、ビン内にある液体を放出することができる。
【０００３】
特許文献２によって、カバーキャップを備えた、空気密に形成された容器による容器解決が知られており、その場合にキャップ内に形成された突起が、容器のネックに設けられた膜を突き通すために用いられる。
中空の突起は、ある種のアタッチメントを形成し、それが排出通過路を定め、そのようにして規則的な液体取り出しが保証される。
そのために、開放装置としての突起が膜を突き通し、第１のキャップ部分を取り除いた後に、突起は第２のキャップ部分を介して膜内に残され、それによって容器のための調節された取り出しないし放出開口部が提供される。
その後、第１のキャップ部分は新たに、容器の容器ボディのための取り出しないし放出開口部を閉鎖するために用いることができる。
【０００４】
さらに、特許文献３によって、容器が知られており、その場合に既知の容器解決において開放プロセスのために、操作する際にそれなりの力の消費を伴うことになる、第１のキャップ部分と第２のキャップ部分のランプ部分の間の、第２のキャップ部分を容器のネック部分上の係止位置へ長手方向に送り届けるランプガイドの他に、さらに、ネック部分にウェブ状に突出する嵌入部分が設けられており、その嵌入部分が、第２のキャップ部分の対応する凹部内へ嵌入して、それをネック部分に相対回動不能に固定し、それが容器の開放プロセスを、第１のキャップ部分を容器上に螺合し、あるいは容器から螺緩する場合の、その２つの可能な回転方向において、可能にする。
比較可能であるが、キャップ部分又はキャップのみを有し、それがその容器ボディへ向いた端部に突き刺し突起を有し、その突き刺し突起がそれぞれ、キャップを容器ボディのネック部分の対応するねじ区間上にキャップをねじ止めする際の開放装置として、それに対応づけられた閉鎖膜又はハウジングカバー部分を突き刺す解決が、特許文献４及び特許文献５によって知られている。
【０００５】
上で挙げた従来技術におけるすべての解決に共通なのは、それらが、望ましくない、開放／閉鎖システムの可能な操作をユーザーに対してはっきりと示し、あるいは特にこの操作を阻止することにより、このような容器にとって重要な機能である、いわゆる不正開封防止機構を提供しないことである。
【０００６】
それに対して特許文献６によって、２つに分けて形成されたキャップ解決を有する容器が知られており、その容器ボディにはこの種の不正開封防止機構（tamper-evident closure)が設けられている。
この既知の容器ボディは、業界で”bottelpack”（登録商標）のマークで知られているように、ここでも簡単かつコスト的に好ましいやり方でブロー成形、充填及び閉鎖方法によって形成され、かつ、キャップ部分は好ましくは射出成形方法で形成されて、不正開封防止機構も同様である。
まさにこの種の容器が食品又は特に薬用又は化粧用物質のような敏感な充填物を収容するために設けられている場合に、容器を最初に利用する場合に、そもそも開放プロセスを実施することができるようにするために、対応づけられた破断予定箇所を開くことによって第１のキャップ部分から分離されなければならない固定部分には、上述したように開放／閉鎖システムの操作をはっきりと示し、あるいは特に阻止することにより、不正開封防止機構としての特に重要な機能が割り当てられる。
そのために、上述した既知の解決においては、固定リングの形状の固定部分は、それに対応づけられた第１のキャップ部分の端縁と破断予定箇所を介して結合される。
【０００７】
固定部分は、容器ボディのネック上で螺合方向に回転可能であるが、片側に作用する阻止部材によって螺緩方向における回転に対して固定されている。
不正開封防止機構を破るため、すなわち第１のキャップ部分に対する結合を解除するために、利用者は、最初はルーズに回転する第１のキャップ部分をねじ込み方向に（下方へ向かって）、固定リングが容器ショルダー上に取り付けられるまで、さらに回転させなければならず、それによってショルダー、固定リング及びキャップ部分の間に軸方向の締め付けがもたらされ、さらに回転させると、軸方向の力とねじる力が重畳されて破断予定箇所を引き裂く。
【０００８】
他方で、利用者が、最初に開放するために螺緩方向に回転を開始した場合に、最初に挙げた行動（螺合）において必要な長い距離区間（複数回の回転を有する）に比較して、全く異なる種類の解除挙動が生じる。
螺緩方向における固定リングの回転は阻止されているので、破断予定箇所の引き離しは、明確な変形なしで、かつ短い距離区間（小さい回転角度）において行われる。
しかし、この場合において利用者は、破断予定箇所を引き離した後に、第１のキャップ部分を螺合して第２のキャップ部分をそれに設けられている突起カニューレと共に連動させることによって突き刺しプロセスとそれに伴って容器ボディの開放を実施するためには、回転方向を反転させなければならない。
【先行技術文献】
【特許文献】
【０００９】
【特許文献１】独国特許第４２３２３０５（Ｃ１）
【特許文献２】独国特許第１９５８０１０４（Ｔ１）
【特許文献３】米国特許出願公開第５９５４２３３（Ａ）
【特許文献４】米国特許出願公開第３４５４１９６（Ａ１）
【特許文献５】米国特許出願公開第４７２３６８７（Ａ１）
【特許文献６】独国特許出願公開第１０２００５０２５７６０（Ａ１）
【発明の概要】
【発明が解決しようとする課題】
【００１０】
この従来技術に鑑みて、本発明の課題は、従来技術において達成された利点を維持しながら、より操作の容易な、容器を提供することである。
【課題を解決するための手段】
【００１１】
本発明によれば、この課題は、全体として特許請求項１の特徴を有する容器によって解決される。
【００１２】
請求項１の特徴部分によれば、本発明の本質的な特殊性は、それぞれの破断予定箇所が、一方の回転方向においても他方のそれにおいてもほぼ等しい回転角度とトルクで行われる回転運動によって開放可能であることにある。
わずかな回転角度で、したがって短い距離で、タンパーエビデント（不正開封防止可能）な引き裂きが行われることによって、ユーザーが開放作業を螺緩方向における回転運動をもって開始した場合でも、破断予定箇所を引き離すために必要なトルクに、既知の解決において部分的にそうであるように、突起カニューレの突き刺しによるような、他のトルクが重畳することがなく、既知の解決においては、容器ショルダーにおいて固定リングが回転し始めることによって分離プロセスが行われる前に、螺合プロセスにおいて第２のキャップ部分が、ネック部分上に取り付け、あるいは滑り嵌めして、突起カニューレを突き刺すために連動される。
それに対して本発明においては、突起カニューレの突き刺しあるいはキャップ又はそれぞれのキャップ部分のスナップ嵌めのプロセスは、不正開封防止機構の破断なしで行われ、すなわち破断予定箇所の引き離しは、本発明においては、２つの回転方向においてほぼ等しいトルクと回転角度で行われる。
【００１３】
本発明に係る容器の好ましい実施形態において、それぞれの破断予定箇所は、キャップと固定部分の間に延びる、好ましくは小さい横断面を有するウェブブリッジによって実現されている。
それぞれの破断予定箇所を点状の分離箇所に減少することによって、それぞれの破断予定箇所は比較的小さい操作力によって引き離され、それにもかかわらず有効な不正開封防止容器という意味において、キャップ又はそれぞれのキャップ部分は開放作業のために望まれない開放はされない。したがって、望まれない、あるいは意図されない操作は、有効に阻止されている。
【００１４】
本発明に係る容器の他の好ましい実施形態において、開放装置は容器ボディを突き刺し、切り込みによって、あるいは容器ボディの少なくとも部分を引き裂きあるいは切り取ることによって開放し、あるいは容器ボディ内にすでに存在している開口部が、シール箔のような閉鎖ボディによって取り外し可能に閉鎖されており、そのシール箔は、貫通可能にも形成されており、たとえば差し込み突起として形成されている開放装置によって突き通される。
【００１５】
容器が、一体的なキャップ、あるいは個別のキャップ部分のみを有している場合に、それぞれキャップ又はキャップ部分の内側に突き刺し突起を設けることができ、その突き刺し突起は、容器中身を取り出すプロセスのためにねじ込みプロセスを行う間に容器ボディを突き刺して開ける。
代替的な形態は、キャップ又はそれぞれのキャップ部分が切断または引き裂きリングを有し、それが開放装置として容器ボディを開放することにある。
【００１６】
本発明に係る容器の特に好ましい実施形態において、キャップは少なくとも１つの第１のキャップ部分と第２のキャップ部分とを有しており、第２のキャップ部分は少なくとも部分的に第１のキャップ部分とネック部分との間に延びており、かつ容器ボディを開放するために、少なくとも１つの開口部を有する開放装置を有しており、開口部が第１のキャップ部分によって閉鎖可能であり、かつ、第１のキャップ部分の取り付け又は螺合プロセスによってその第１のキャップ部分が第２のキャップ部分を、開放装置に容器ボディの開放を促すように、連動させる。
【００１７】
それぞれの適用場合と顧客要望に応じて、このように形成された２つの開放変形例が、１つの容器のみによって実現される。
すなわち、一方では、いわゆる開放したキャップ配置を有する、好ましく形成された容器を供給する可能性があり、すなわち第１のキャップ部分は最初は部分的に、たとえばねじピッチの半分だけ、容器ボディの対応するねじ上に螺合されるので、容器ボディを開放装置によって通常突起の形式で開放するために、ユーザーはまず第１のキャップ部分をねじに沿ってさらに下方へ回転させなければならない。
その場合に第２のキャップ部分はネック部分に留まり、容器からストックされている媒体を取り出すための開口部を解放するためには、第１のキャップ部分の形式の上方のキャップが、従来のねじ込み方向に対して逆方向に回転される。
他方で、容器は、すでに開放して供給することができ、すなわち第１のキャップ部分は完全に螺合されており、第２のキャップ部分がネック部分に定められたように固定されており、たとえば突き開け突起の形式の開放装置はすでに容器ボディの開口部を解放するために容器ボディを刺し貫いている。
容器のユーザーは、たとえばストックされている目薬の形式の容器の中身を利用することができるようにするためには、上方の第１のキャップ部分をねじって外し、あるいは回して外すだけでよい。
したがって１つの配置だけで、顧客固有の２つの異なる種類の取り出し可能性が実現可能であるが、その取り出し可能性は両方の場合において、説明した不正開封防止機構によって保護されている。
ここで強調しておくが、それぞれのキャップ又はそれぞれのキャップ部分の螺合または螺合外しプロセスに言及される限りにおいて、このプロセスは再び外すことのできるスナップ止めプロセス及び容器の上述した部分の間の係止も一緒に含むものである。
【００１８】
不正開封防止機構として用いられる固定部分が、取り付け状態においてネック部分を包囲するリングの形状を有している実施例において、リングの内側とネック部分の外側との間に、両回転方向における相対的な回転運動をブロックするストッパ装置を形成することができる。
【００１９】
好ましい実施例において、ストッパ装置は、リングの内側から径方向へ張り出す少なくとも１つ、好ましく複数のウィング部分を有しており、そのウィング部分が、２つの回転方向において阻止するように、ネック部分に設けられたブロック部材と協働する。
この種の不正開封防止機構をキャップからそれぞれの破断予定箇所において、２つの回転方向に同様に、かつほぼ脆い感じで引き裂くために、小さい破壊強度と大きい弾性係数を有する材料、たとえばスチロールアクリルニトリル（ＳＡＮ）、ポリスチロール（ＰＳ）、ポリエチレンテレフタレート（ＰＥＴ）、ポリアミド（ＰＡ）、高密度のポリエチレン（ＨＤＰＥ）、ポリプロピレン（ＰＰ）及び同種のものも、適している。
【００２０】
ウィング部分は、リングの内側に軸方向に延びるストリップの形式で設けることができ、そのストリップが対応する、ネック部分に径方向に張り出すブロック部材と協働する。ストリップは、長方形状の横断面を有することができる。
【００２１】
代替的に配置は、Ｔ字状、Ｙ字状又はＶ字状の横断面を有するストリップが設けられるように、行うこともできる。
【００２２】
ストッパ装置は、リングのそれぞれのウィング部分に、ネック部分に設けられた、対応するブロック部材が嵌入するための溝が設けられるように、形成することもできる。
【００２３】
ブロック部材とウィング部分の数は、それぞれ１と１２の間にあり、その場合に好ましくは２乃至４のブロック部材と４乃至８のウィング部分が設けられている。
【００２４】
特に好ましい実施例において、不正開封防止機構として用いられるリングは、切り欠きのリムを有するクラウンの形式を有し、その切り欠きは第１のキャップ部分を向いた端縁において開放している。
クラウン形状は、ユーザーが切り欠きによって、第２のキャップ部分の連動によって突き刺しプロセスを実施するために、第１のキャップ部分がどの程度充分にねじ込まれているか、を付加的に簡単に視認コントロールすることを、可能にする。
【００２５】
設定された発明課題は、本発明の他の視点によれば、その全体において特許請求項１５の特徴を有する容器によっても、解決される。
【００２６】
請求項１５の特徴部分に従って、本発明によれば、容器が開放された場合にネック部分上に留まる第２のキャップ部分の、ネック部分の終端領域を把持するベル状部分は、撓むように拡幅可能である。
それによって、第２のキャップ部分の連動により螺合し、かつ開放するプロセスを実施するのに、わずかなトルクしか必要とされない。
というのは、そのベル状部分の可撓性によって、第２のキャップ部分は大きな力を必要とせずにネック部分の終端領域上に確実に取り付けることができるからである。
【００２７】
所望の可撓性を提供するために、ベル状部分内に開口端縁から始まる軸方向のスリットを形成することができる。
【００２８】
好ましくはさらに、第２のキャップ部分とネック部分の間にスナップ結合を形成するために、ベル状部分内の内側に、ネック部分に設けられた環状溝内へ嵌入するための、周方向に延びるリブを設けることができる。
【００２９】
以下、図面に原理的に示す実施例を用いて、本発明を詳細に説明する。
【図面の簡単な説明】
【００３０】
【図１】２つに分けて形成されたキャップを有する、本発明に係る容器の第１の実施例を示す縦断面図であって、容器ボディは簡略化して、その輪郭のみが示されている。
【図２】第１の実施例を示す斜視図であって、中央領域がアングルカットの形式で示されている。
【図３】容器ボディのネック部分の上方の端部領域のみを、取り付けられたキャップ全体の第１と第２のキャップ部分と共に示す部分縦断面図である。
【図４】第２のキャップ部分のみを、図３に比較して拡大して示す縦断面図である。
【図５】第１と第２のキャップ部分の上方の部分のみをさらに拡大して示す部分縦断面図である。
【図６】第２のキャップ部分を別にして示す側面図である。
【図７】突出するブロック部材を有するネック部分と、径方向内側へ突出する、Ｔ字形状の横断面を備えたウィング部分を有する、不正開封防止機構として用いられるリング形状の固定部分の、それぞれ周領域を拡大し、破断して示す部分横断面図である。
【図８】Ｙ字状のウィング部分を有する、図７に相当する部分横断面図である。
【図９】Ｖ字状のウィング部分を有する、図７に相当する部分横断面図である。
【図１０】ネック部分に設けられた対応するブロック部材と係合するための、リング形状の固定部分のそれぞれのウィング部分に設けられた軸方向の溝を有する、図７〜９に相当する表示である。
【図１１】１つのキャップのみを有する、他の第２の実施例を図１と同様に示す表示である。
【図１２】異なるように形成された窓開口部を備えたリング形状の固定部分の４つの異なるバリエーションを示している。
【発明を実施するための形態】
【００３１】
図１、２は、本発明に係る容器の第１の実施例を示している。
そこに示されるように、容器は、２つに分かれたキャップ２と全体を符号３で示す開放装置とを備えた、符号１で示す容器ボディを有している。
容器ボディ１は、プラスチック材料からなるアンプルの形式で形成されており、その中には詳しく示されない流体、たとえば、目薬の形状などの、医療作用する液体がストック可能である。
他の媒体、たとえばガス状またはペースト状の物質も、たとえば冒頭で述べた、業界では”bottelpack”の商標名称で知られている、ブロー成形方法によって、容器ボディ１内へ投入される。
開放装置３は、他のように形成された容器ボディ１にも、使用することができる。
【００３２】
容器ボディ１には、上へ向かってネック５が連続しており、そのネック上にキャップ２の第１のキャップ部分７を螺合することができる。
第１のキャップ部分７の閉鎖された上方の端部９内へ、キャップ２の第２のキャップ部分１１が挿入されており、それについて図３〜６内に詳細が示されており、その場合に第２のキャップ部分１１は、図４においては縦断面で、図６には側面で、それぞれ別に示されている。
第２のキャップ部分１１は、容器ボディ１のための開放部材として設けられており、そのネック部分５へ向いた側にベル状部分１３を有しており、その中央に突起カニューレ１５が形成されており、そのカニューレは通路１７を介して第２のキャップ部分１１の上方の端部へ連続している。
第１のキャップ部分７をネック部分５のねじ１９上へ螺合する場合に、第２のキャップ部分１１が第１のキャップ部分７の閉鎖された端部９によって連動されるので、ベル状部分１３がネック部分５の円錐形状の終端部分２１上にかぶせられ、その場合に突起カニューレ１５が容器ボディ１の壁を突き抜き、それによって通路１７を介して容器の中身を排出するための開口部が形成される。
この開放プロセスにおいて、突起カニューレ１５の下方の端部も、通路開口部を形成しながら流体を取り出すために突き刺してあけられ、あるいはこの突起カニューレがすでに初めから、通路１７内へのそれぞれの排出開口部としての然るべき流体通路を有している。
【００３３】
図１、２は、最初に開放する前の状態を示しており、その場合に第１のキャップ部分７は、最初はゆるくネック部分５上にかぶせられており、その場合にキャップ部分７は、組立プロセスにおいては回転運動なしで軸方向に滑らせることによってネック部分５に設けられたねじ１９の上方の端部上にスナップ止めされる。
図１、２が示すように、ねじ１９は鋸歯形状を有し、それがこのスナップ止めを可能にするが、キャップ部分７は、ネック部分５から離れる方向を向いた軸方向の運動に対しては固定されている。
第１の開放プロセスのためにキャップ部分７が螺合されて、突起カニューレ１５が突き刺しを実施する場合に、第２のキャップ部分１１のベル状部分１３がネック部分５の円錐形状の終端部分２１上へかぶせられる。
ベル状部分１３は、終端部分２１上に残るために内側に、周方向に延びる複数の突出するリブ２３を有しており、それらのリブは環状溝２５と係合する（特に図３と４を参照）。
容器ボディ１を開放し、第１のキャップ部分７を螺合する場合に、通路１７は詰め物を形成する栓２７によって閉鎖されており、その栓２７はキャップ部分７の端部９に形成されている。
【００３４】
容器がまだオリジナル状態にあるか、あるいは開放装置３の操作が行われたか示す不正開封防止機構を形成するために、第１のキャップ部分７にリング２９の形状の固定部分が対応づけられており、そのリング２９は組立状態又はオリジナル状態においては破断予定箇所３１を介して第１のキャップ部分７の開放端縁に形成されている。破断予定箇所３１を破壊することによってこの結合を解除することは、キャップ部分７をリング２９に対して回動させることによって行われる。
相対回動を可能にするために、リング２９と容器ボディ１のネック部分５との間にストッパ装置が設けられており、そのストッパ装置がリング２９を２つの回転方向に回転しないように固定している。
図１、２が示すように、リング２９がネック部分５を容器ショルダー３３に連続する領域内で包囲している。
図１、２に示す実施例において、ストッパ装置はネック部分５に径方向に突出するブロック部材３５を有しており、そのブロック部材３５が、リング２９の内側から径方向に突出するウィング部分と協働して回転運動に対するストッパを形成する。
図１、２に示す実施例において、ウィング部分はストリップ３７によって形成されており、そのストリップは、四角形状の横断面をもって、リング２９の内側に沿って軸方向に延びている。
なお、図１、２においては幾つかのブロック部材３５とストリップ３７しか見ることができないが、２つの回転方向における回転角度が小さい場合でもすでに有効な阻止を形成するために、多数のブロック部材３５とストリップ３７が存在している。
好ましくは２乃至４個のブロック部材３５と、４乃至８個の、たとえばストリップ３７の形状のウィング部分とが設けられている。
【００３５】
図７〜１０は、変形された構造のストッパ装置を有する変形された実施例を示している。
図７〜９の例は、図１と２の実施例に比較して変形された横断面形状を有するストリップ３７、すなわち図７のＴ字形状のストリップ３７、図８のＹ字形状のストリップ３７及び図９のＶ字形状のストリップ３７が設けられていることによって区別される。
周方向にさらに張り出す横断面形状によって、互いに連続するブロック部材３５の間のそれぞれのデッドスペースが減少するので、２つの回転方向における小さい回動角度においてすでにブロックが有効である。
図１０の例は、それぞれ対応づけられたブロック部材３５と係合するための、軸方向に延びる溝３９を備えたウィング部分３７がリング２９に設けられていることを示している。この例において、自由な回転角度は実際にはゼロに制限されている。
個々のブロック部材３５は、代替的に、少なくとも部分的にリング２９に配置することができ、協働する部材又はストリップ３７は容器ボディ１に配置することができる。
【００３６】
両回転方向における相対回動のブロックによって、ユーザーは、複数回の回転を実施することなしに、キャップ部分７を任意の方向に回転させることによって、不正開封防止機構を解除することができる。
不正開封防止機構が解除された場合に、ユーザーは自由に、さらに螺合することによって突き刺し及び回転のプロセスを実施して、その後中身物質を排出するために第１のキャップ部分７を取り、その場合に第２のキャップ部分１１はネック部分５の終端部分２１上へ移動されて、係止されて留まる。
中身物質の排出後に、キャップ部分７を螺合することによって栓２７を用いて再び閉鎖プロセスを実施することができる。
【００３７】
図１、２に示す実施例において、不正開封防止機構を形成するリング２９は、切り欠き４１のリムを備えたクラウンの形状を有しており、切り欠きは第１のキャップ部分７を向いた上方の端部において開放している。
これらの切り欠き４１は、ユーザーが、突き刺し及び開放プロセスのためにキャップ部分７、１１が充分な距離だけ螺合されているか、を簡単に見てコントロールすることを可能にする。
【００３８】
第２のキャップ部分１１をネック部分５の終端部分２１上へかぶせて、ベル状部分１３を係止することによる固定を簡単かつ確実に構成するために、ベル状部分１３内には開放端縁４３から始まって軸方向に延びる複数のスリット４５が形成されている。
これらのスリット４５がベル状部分１３に所定の弾性的な可撓性を与えるので、ベル状部分１３は終端部分２１上へ滑らせてのせる場合に径方向に拡幅することができ、その後になってリブ２３が溝２５内へ嵌まり込むことによりネック部分５上に第２のキャップ部分１１が係止される。
【００３９】
ストリップ３７は、図１、２を見る視線方向において、確実に係止して垂直方向に力を伝達するために、リング２９の内周面全体にわたって上から下へ向かって延びている。
上方の移行箇所において、ストリップ３７は、小さいウェブブリッジ４７のみを介して外側のキャップ７のその下方の終端領域と結合されているので、共通に分離されるウェブブリッジ４７を介して、このように形成された破断予定箇所３１が多数であっても、リング２９からキャップ７を外すためにわずかな操作力しか必要とされない。
その他において肉薄に形成されているウェブブリッジは、それぞれ外側のキャップ２の下方の周端縁とストリップ形状の長手ウェブ３７の間の解除すべき結合を、ほぼ間隔なしで形成する。
ストリップ３７の数と比較可能に、破断予定箇所３１も上述したウェブブリッジ４７にわたって存在している。
ここで、同様に可能な破断すべき解決において、場合によっては比較的長い距離区間にわたって、ストリップ３７のそれぞれの内側がキャップ２の対応する外側と取り外しできるように結合されている。
特に、個々の図を見る視線方向において、それぞれのウェブブリッジ４７は、垂直に配置されているストリップ３７に対して水平の方向付けを有している。
【００４０】
図１に示す実施形態と対比可能に示されている図１１に示す他の実施形態においては、２つに分かれたキャップの代わりに一体的なキャップ２が使用されており、そのキャップは、図１１を見る視線方向におけるねじ込みプロセスによってキャップ２が対応づけ可能なねじ区間１９を介して下方へ移動されるとすぐに、この場合において中実に形成されている刺し開け突起４２を介して、容器ボディ１をそのネック部分５の領域内の上側において開放する。
このような場合においても、不正開封防止機構は破断予定箇所３１、４７を介して前もって解除されなければならない。
中実の突起４２を介して容器ボディ１を刺し開けた後に、キャップ２が容器ボディ１から除去された場合に、詳しく図示されないネック部分５内の開口部を介して容器中身の取り出しプロセスを行うことができる。
図１１に示す形態と同様な実施例が、他の一体的なキャップを使用することによって得られ、そのキャップは容器ボディを突き刺し又は切り込みによってではなく、引き裂き又は切り離しによって開放することができる。
このような場合においても、本発明に係る主旨において、破断予定箇所３１を介して結合されている固定リング２９のみが、不正開封防止機構として設けられている。
【００４１】
図１〜１１に示す実施形態において、固定リング２９の図を見る視線方向上側にクラウンの形式でスリット形状の切り欠き４１が設けられている。
それに対して図１２に示す表示は、リング２９のための切り欠き４１の他の形態を示している。
図１２の左上のリング２９には、スリット形状の切り欠き４１が水平方向の方向付けで設けられており、その長手方向の広がりは異なるように選択することができ、かつ異なる長さのグループに分割することが可能である。
それに対して図１２の右上の実施形態においては、水平方向に配置された切り欠き４１は同じ長さで形成されており、それらの切り欠きはリング２９の周面全体にわたって延びている。
【００４２】
図１２の左下の実施形態は、切り欠き４１の配置を垂直の方向づけで示しており、それらの切り欠きは互いに対して等しい間隔を有している。このように垂直に延びるスリットは、外周側をリング２９の材料によって囲まれている。
残りの表示（図１２の右下）は、リング２９内の切り欠きを円形で示している；
ここでは、各種類の形式の他の形態も、多角形状も、可能である。
最終的に、窓開口部の形式の切り欠き４１は、ねじ込み運動する場合にキャップ２の下方の外周が下方へ向かってそれぞれの通過箇所４１と重なり、それによってキャップのための視覚的な位置認識を可能にすることによって、ユーザーに外から、キャップ２がリング２９の方向にどのくらいねじ込まれているかについての視覚的な報告を与える。
リング２９内に外周に沿って複数の箇所に切り欠き４１が配置されていることによって、ユーザーに対する容器１の体勢位置に関係なく、必要とする視覚的認識を行うことができる。
最後にさらに述べておくが、それぞれのキャップの操作を改良するために、キャップの外周側にローレット４９を設けることができる。
【図１】
0006259072.tif 000002
【図２】
0006259072.tif 000003
【図３】
0006259072.tif 000004
【図４】
0006259072.tif 000005
【図５】
0006259072.tif 000006
【図６】
0006259072.tif 000007
【図７】
0006259072.tif 000008
【図８】
0006259072.tif 000009
【図９】
0006259072.tif 000010
【図１０】
0006259072.tif 000011
【図１１】
0006259072.tif 000012
【図１２】
0006259072.tif 000013